(57)【要約】【課題】本発明は、簡単で光分配に改良された均質性を有するＬＥＤ発光ユニットに関する。【解決手段】本発明は、少なくとも一つの光反射表面；１以上の発光ダイオード（ＬＥＤ）；および少なくとも一つの透明プラスチックから製造された少なくとも一つの散乱シートを有し、該ＬＥＤ照明ユニットは少なくとも一つの反射表面の前面で、少なくとも一つの散乱シートの背面に配置され、前記散乱シートの少なくとも前面はレンズ領域と凸状コンパウンドパラボラ状コンセントレイター（ＣＰＣ）領域からなる光誘導構造体を含むことを特徴とする発光ユニットを提供する。【選択図】図１
2011082174.tif 000002
【特許請求の範囲】
【請求項１】
少なくとも一つの光反射表面；１以上の発光ダイオード（ＬＥＤ）；および少なくとも一つの透明プラスチックから製造された少なくとも一つの散乱シートを有し、該ＬＥＤ照明ユニットは少なくとも一つの反射表面の前面で、少なくとも一つの散乱シートの背面に配置され、前記散乱シートの少なくとも前面はレンズ領域と凸状コンパウンドパラボラ状コンセントレイター（ＣＰＣ）領域からなる光誘導構造体を含むことを特徴とする発光ユニット。
【請求項２】
ＣＰＣ領域はａ）フレスネル（Fresnel）の式から媒体中の開口部角θ１およびθ２を定義された許容角によって計算し、
ｂ）式
2011082174.tif 000006
(式中、θ１，２は左(θ１）および右（θ２）パラボラの媒体中における開口部角であり、ｘはＸ軸であり、ｙ１，２は左（ｙ１）および右（ｙ２）パラボラのＹ軸である。）
に従って媒体中開口部角θ１でパラボラブランチＰ１および開口部角θ２でパラボラブランチＰ２を確立し、
ｃ）パラボラブランチの端部Ｆ１、Ｆ２およびＥ１、Ｅ２を計算し、
ｄ）媒体中の開口部角−θ１でパラボラブランチＰ１を回転し、開口部角θ２でパラボラブランチＰ２を回転し、パラボラブランチＰ２をｘ軸にそって平行移動し、
ｅ）段階ａ）〜ｅ）で形成された形態から空気中において効果的許容角を決定し、
ｆ）効果的許容角を定義された許容角と比較して、もし差が０．００１％より大きかったら、段階ａ）〜ｅ）を段階ａ）の定義された許容角の代わりに修正許容角を用いて繰り返し、修正許容角は定義された許容角とは等しくなく、かつ修正許容角は段階ｆ）の効果的許容角が定義された許容角と一致するように選択され、
ｇ）定義された許容角と効果的許容角との角度の差が０．００１％より小さくなったら、短縮要素によって決定された範囲によってｙ方向にパラボラを短縮する
ことによって計算されうる、請求項１記載の発光ユニット。
【請求項３】
ＣＰＣ領域の２点Ｆ１およびＦ２間の構造は連続多項作用によって表現されうる請求項２記載の発光ユニット。
【請求項４】
ＣＰＣ領域が、θ１≠θ２で非対称変体の場合、点Ｅ１およびＥ２によって決定された傾斜表面のスロープを決定し、その後形成された形態から空気中において効果的許容角を決定することによって表される請求項２記載の発光ユニット。
【請求項５】
散乱シートが少なくとも一つの熱可塑性ポリマーを含有する請求項１記載の発光ユニット。
【請求項６】
更に、散乱シートの前面に散乱粒子を含有する少なくとも一つの拡散シートを含む請求項１記載の発光ユニット。
【請求項７】
反射表面が拡散性光反射表面である請求項１記載の発光ユニット。
【請求項８】
拡散性光反射表面が白色拡散性光反射表面である請求項７記載の発光ユニット。
【請求項９】
一つの光反射表面が光ボックスのベースプレートを形成し、それが少なくともＬＥＤおよび拡散シートを含む請求項１記載の発光ユニット。
【請求項１０】
光ボックスがさらに拡散シートを含む請求項９記載の発光ユニット。
【請求項１１】
散乱シートが各々厚さ５０〜１００μｍを有する請求項１記載の発光ユニット。
【請求項１２】
光誘導構造が並進不変（translation-invariant）である請求項１記載の発光ユニット。
【請求項１３】
散乱シートが、並進不変方向に置いて別の散乱効果を達成するオーバーモデュレート構造を有する請求項１記載の発光ユニット。
【請求項１４】
発光ユニットが少なくとも２種類の散乱シートを有し、その一方はレンズ領域と凸状ＣＰＣ領域からなる前面に光誘導構造を有し、第２の散乱シートは第１の散乱シートの前面の前で裏面を有するように配置し、第２の散乱シートの光誘導構造は第１の散乱シートの光誘導構造に対して３０〜１５０°回転させる、請求項１記載の発光ユニット。
【発明の詳細な説明】
【技術分野】
【０００１】
本発明は、ＬＥＤ照明ユニット、特に少なくとも一つの透明プラスチックからなり、その少なくとも表面上に光誘導エレメントを有する散乱シートを含むＬＥＤ照明ユニットに関する。
【背景技術】
【０００２】
特に、直接バックライトを有する発光ダイオード（ＬＥＤ）光ユニットは以下の構造を有している。一般には、発光ユニットの大きさや用途に応じて、異なる数のＬＥＤが導入されたハウジングを包含する。ハウジングは平坦な前面と裏面を有しかつ適当な形の側面を有する箱であってよく、もっと複雑な構成にするには内面と外面とを異なる形を有する側面を有してもよい。ＬＥＤは箱の裏面内部に、規則正しいグリッド上に配置される。このグリッドは、長手方向（ｎ）と横方向（ｍ）における列の数によって表現されうる。変数ｎとｍで表される列の数は、それぞれ１以上の数である。ＬＥＤの間のハウジング内部の裏面は好ましくは白の拡散光反射表面を有している。この照明システムにおいて、厚さ１〜３ｍｍ、好ましくは厚さ１．５〜２．５ｍｍの拡散シート又はプレートが通常存在する。この拡散シートは光を均一に散乱して、ＬＥＤマトリックスのポイントパターンを消し、最大限に均質な外観を達成している。シートからＬＥＤマトリックスへの距離、即ちハウジングの深さは最大の均質発光を可能にするように選択される。ＬＥＤを含むマトリックスを有する発光ユニットのフレームは単純な箱あるいは光誘導自由形態を有してもよい。内部上には散乱白反射または金属反射であるように形成してもよい。
【０００３】
ポリカーボネートと種々の光散乱添加剤からなる光散乱半透明物およびそれから得られる成形体は既に公知である。
【０００４】
例えば、ＥＰ−Ａ６３４，４４５号には、ビニルアクリレートに基づくコア／シェル構造のポリマー粒子とＴｉＯ２とを含む光散乱組成物が開示されている。
【０００５】
フラットスクリーンにおける光散乱ポリカーボネートシートの使用はＵＳ−Ａ２００４／００６６６４５号に記載されている。ここで、ポリアクリレート、ＰＭＭＡ、ポリテトラフルオロエチレン、ポリアルキルトリアルコキシシロキサンおよびこれらの成分の混合物が散乱顔料として記載されている。
【０００６】
ＤＥ−Ａ１０２００５／０３９４１３号には、散乱顔料０．０１〜２０％含有するＰＣ拡散プレートを開示する。
【０００７】
そのような拡散シートやプレートでは、ＬＥＤ発光ユニット中での光分散の十分な均一性が達成されておらず、個々のＬＥＤが個別の光源として視覚的に認識される。
【０００８】
表面構造による光分散の均質化はＪＰ−Ａ２００６／２８４６９７号またはＵＳ２００６／１０２６２６６６号に記載されている。これらは単純なバレル状またはプリズム状ウェブまたはそれらの組合せに基づく表面構造を基礎とし、ある場合には少しの変化、例えばノッチを有してもよい。数学的には、これらの構造体は楕円断面ということができ、一般にレンズ状構造とよばれる。達成されうる均質性は、制限的で従来の分散プレートで達成される均質性よりも低い場合すら存在する。
【０００９】
ＣＮ−Ａ１９２４６２０号には、円錐プリズム構造を有するプラスチックに散乱添加剤を配合した光誘導構造体が記載されている。この構造体は、三つのランプのクリアーなイメージを形成し、それを構造体内部の付加的に用いられた散乱添加剤で拡大して、均質なバックライトを達成している。しかしながら、この構造において、使用されている散乱添加剤は構造体の光誘導効果を阻害し、結果として均質なバックライトが達成され得ない。
【００１０】
ＵＳ−Ａ２００７０４７２６０号、ＵＳ−Ａ２００６２５０８１９号およびＤＥ−Ａ１０２００７０３３３００号には、バックライトユニット、即ち直接バックライト用の散乱プレート状の化合物パラボラ状集積体を開示する。しかしながら、ＢＬＵにとって、明るさの増大が特に重要であり、上流の分散プレートや分散層で散乱された光は前面の存在する散乱プレートや散乱層上のＣＰＣ構造体で再び集められて、明るさが改善する。
【先行技術文献】
【特許文献】
【００１１】
【特許文献１】ＥＰ−Ａ６３４，４４５号
【特許文献２】ＪＰ−Ａ２００６／２８４６９７号
【特許文献３】ＵＳ２００６／１０２６２６６６号
【特許文献４】ＣＮ−Ａ１９２４６２０号
【特許文献５】ＵＳ−Ａ２００７０４７２６０号
【特許文献６】ＵＳ−Ａ２００６２５０８１９号
【特許文献７】ＤＥ−Ａ１０２００１０３３３００号
【発明の概要】
【発明が解決しようとする課題】
【００１２】
本発明は、簡単で光分配に改良された均質性を有するＬＥＤ発光ユニットに関する。本発明の目的は、個々の光源が人間の目では分離した光源と認識できない最大の均質発光を達成することを目的とする。
【課題を解決するための手段】
【００１３】
本発明は、少なくとも一つの光反射表面；１以上の発光ダイオード（ＬＥＤ）；および少なくとも一つの透明プラスチックから製造された少なくとも一つの散乱シートを有し、該ＬＥＤ照明ユニットは少なくとも一つの反射表面の前面で、少なくとも一つの散乱シートの背面に配置され、前記散乱シートの少なくとも前面はレンズ領域と凸状コンパウンドパラボラ状コンセントレイター（ＣＰＣ）領域からなる光誘導構造体を含むことを特徴とする発光ユニットを提供する。
【発明の効果】
【００１４】
本発明の発光ユニットは、発光ユニットとして使用されている従来の拡散プレートや拡散シートに比べて非常に高い均質性をもたらす。
【００１５】
従って、本発明は改良された発光ユニットを提供する。本発明の改良点は、図面や実施例から明らかになる。
【図面の簡単な説明】
【００１６】
図面において、同じ番号は同じ要素を表す。
【図１】図１は光誘導構造体の断面を表す。
【図２】図２は光誘導構造体の三次元模式図を表す。
【図３】図３はコンパウンドパラボラ状コンセントレイターのデザイン原理を示す。
【図４ａ】図４ａは比較例による発光ユニットの模式図を表す。
【図４ｂ】図４ｂは比較例による発光ユニットのＣＣＤカメラを用いて測定した明るさの変化を示す図である。
【図４ｃ】図４ｃは比較例による発光ユニットの明るさの変化を示す図である。
【図５ａ】図５ａは実施例２の発光ユニットの模式図を表す。
【図５ｂ】図５ｂは実施例２による発光ユニットのＣＣＤカメラを用いて測定した明るさの変化を示す図である。
【図５ｃ】図５ｃは実施例２による発光ユニットの明るさの変化を示す図である。
【図６ａ】図６ａは実施例３の発光ユニットの模式図を表す。
【図６ｂ】図６ｂは実施例３による発光ユニットのＣＣＤカメラを用いて測定した明るさの変化を示す図である。
【図６ｃ】図６ｃは実施例３による発光ユニットの明るさの変化を示す図である。
【発明を実施するための形態】
【００１７】
本明細書において、「前面」および「背面」は散乱シートの二つの相対する表面を意味する。「前面」は光源と反対の側で、「背面」は光源に向かう側である。
【００１８】
また、明細書中「凸状ＣＰＣ領域」とは、ＣＰＣの広がり部分が背面の方向に面することを意味する。
【００１９】
本明細書中において、「並進不変（translation-invariant）」とは、構造が表面上の一方向に変化を示さないか、または少なくとも実質的なまたは重要な変化を示さないことであって、それに垂直の方向には伸びた上昇および低下を有する形状を有すること、即ち溝構造を示すことを意味する。
【００２０】
明細書中において、「オーバーモデュレート（overmodulated）」とは、並進不変方向にそって、即ち溝構造に沿って、構造体が溝構造に対して直交的な変化とは独立して別の変化を有することを意味する。数学的に考えると、効果的表面構造は、以下オーバーモデュレートと呼ばれる独立した構造を有する溝構造を付加することを構成するこのオーバーモデュレート構造はシヌソイド的機能、無作為散乱構造または他の望ましい機能であってよい。
【００２１】
本明細書中において、「レンズ領域」とは光誘導構造体の部分がレンズ機能によって数学的に記載されうることを意味する。
【００２２】
「ＣＰＣ領域」とは、光誘導構造体の部分がＣＰＣ構造機能によって数学的に記載されうることを意味する。
【００２３】
用語「同一」とは、レンズ領域が同じ形状で、ＣＰＣ領域すべてが同じ形状を有することで、同じパラメーターで表現されうることを意味する。
【００２４】
本明細書中において、用語「依存」とは、隣接するレンズ領域またはＣＰＣ領域が各々、異なってはいるけれど、隣接領域の影響を受けている、即ち依存していることを意味する。この用語は全体としては異なっている形だけれども周期的に変化している構造を表すために用いる。
【００２５】
本明細書中において、用語「独立」とは、隣接するレンズ領域またはＣＰＣ領域がそれを表すパラメーターが他のものと完全に独立である形態であることを意味する。独立の構造体の各々はこの場合異なる形態を有してもよい。
【００２６】
光誘導構造体もまた以下「ＡＣＰＣ」（Advanced compound parabolic concentrators;前コンパウンドパラボラ状コンセントレイター）とも記載する。
【００２７】
光誘導構造体は好ましくは並進不変である。
【００２８】
レンズ領域またはＣＰＣ領域は各々同一、依存または独立であってよい。一つの態様では、すべてのレンズ領域が同一で、すべてのＣＰＣ領域が同一である。
【００２９】
独立のレンズ領域またはＣＰＣ領域は更に独立のパラメーター群で表現されうる。
【００３０】
ＣＰＣ領域は、以下の方法によって決定されてもよく、またそれが好ましい：
【００３１】
ａ）フレスネル（Fresnel）の式から媒体中の開口部角θ１およびθ２を定義された許容角によって計算し、
【００３２】
ｂ）式
2011082174.tif 000003
(式中、θ１，２は左(θ１）および右（θ２）パラボラの媒体中における開口部角であり、ｘはＸ軸であり、ｙ１，２は左（ｙ１）および右（ｙ２）パラボラのＹ軸である。）
に従って媒体中開口部角θ１でパラボラブランチＰ１および開口部角θ２でパラボラブランチＰ２を確立し、
【００３３】
ｃ）パラボラブランチの端部Ｆ１、Ｆ２およびＥ１、Ｅ２を計算し、
【００３４】
ｄ）媒体中の開口部角−θ１でパラボラブランチＰ１を回転し、開口部角θ２でパラボラブランチＰ２を回転し、パラボラブランチＰ２をｘ軸にそって平行移動し、
【００３５】
ｅ）要すれば、θ１≠θ２で非対称変体の場合、点Ｅ１およびＥ２によって決定された傾斜表面のスロープを決定し、
【００３６】
ｆ）段階ａ）〜ｅ）で形成された形態から空気中において効果的許容角を決定し、
【００３７】
ｇ）効果的許容角を定義された許容角と比較して、もし差が０．００１％より大きかったら、段階ａ）〜ｆ）を段階ａ）の定義された許容角の代わりに修正許容角を用いて繰り返し、修正許容角は定義された許容角とは等しくなく、かつ修正許容角は段階ｆ）の効果的許容角が定義された許容角と一致するように選択され、
【００３８】
ｈ）定義された許容角と効果的許容角との角度の差が０．００１％より小さくなったら、短縮要素によって決定された範囲によってｙ方向にパラボラを短縮する。
【００３９】
一つの態様では、定義許容角θ１は５°〜６０°であり、定義許容角θ２は５°〜６０°である。
【００４０】
別の態様では、段階ｈ）中の短縮は単純な先端切りである。
【００４１】
別の態様では、段階ｈ）の短縮は短縮要素によって決定した要素によりｙ軸にそって大きさを圧縮する。
【００４２】
他の好ましい態様では、θ１＝θ２である。
【００４３】
また別の好ましい態様では、レンズの断面は楕円である。
【００４４】
好ましい態様では、すべての周期は１０μｍ〜１ｍｍ、好ましくは３０μｍ〜５００μｍ、特に好ましくは５０μｍ〜３００μｍの範囲である。
【００４５】
別の好ましい態様では、ＣＰＣ領域は連続多項クロージャーを有する。このことは、ＣＰＣ領域の二つの点Ｆ１およびＦ２の間の構造が連続多項関数で表現されうることを意味する。一つの態様では、多項関数はｎ次の多項であり、ｎは３２以下である。別の態様では、多項関数は４次多項であり、連続的に点Ｆ１およびＦ２を分ける。
【００４６】
別の態様では、ＣＰＣ領域の２点Ｆ１およびＦ２間の構造はパラボラ、双曲線、円関数、シヌソイダル関数または直線によって記載されうる。
【００４７】
別の態様では、領域は上記形態の一つから５％未満、または少なくとも１０％未満の偏差がある。
【００４８】
別の態様では、構造は前面表面の少なくとも８０％、少なくとも９０％、少なくとも９５％または１００％をカバーする。
【００４９】
ＣＰＣ領域は常套の誘電ＣＰＣ（コンパウンドパラボラ状コンセントレイター；compound parabolic concentrator）のデザインを引き継ぐが、連続多項クロージャーの違いがある。誘電ＣＰＣはコンセントレイターシステムとして常套に使用され、これまで長期間使用されてきた金属ＣＰＣと異なって、全内面反射の光学原理に基づいている。ここで使用された形態においてＣＰＣを数学的に決定するために、決定パラメーターが二つの、通常同一の、許容角および短縮要因である。ＣＰＣ（図３）は前述の式を用いて以下のようにデザインされる。記載した工程は、暗黙の最適化問題を含む：
１．フレスネル（Fresnel）の式から定義された許容角によって媒体中の開口部角θ１およびθ２（３１および３２）の計算。
２．式
2011082174.tif 000004
に従って媒体中開口部角θ１でパラボラブランチＰ１（２２）および開口部角θ２でパラボラブランチＰ２（２３）の確立。
３．パラボラブランチの端部Ｆ１、Ｆ２およびＥ１、Ｅ２（２５、２６、４５、４６）の解析的計算。
４．媒体中の開口部角−θ１でパラボラブランチＰ１を回転し、開口部角θ２でパラボラブランチＰ２を回転し、パラボラブランチＰ２のｘ軸に沿う平行移動。
５．θ１≠θ２（３１および３２）で非対称変体の場合、点Ｅ１およびＥ２によって決定された傾斜表面のスロープを決定する。
６．空気中において効果的許容角をデザインから決定する。
７．所望の許容角の比較。もしそこに不十分な合致があるならば、適用された許容角で点１において再開する。
８．もし不十分な正確性があるなら、新しい末端Ｅ３およびＥ４（２７および２８）で短縮要素（３６）によって決定される範囲でｙ方向にパラボラの短縮−単純切断。
９．点Ｆ１およびＦ２（２５、２６）で制限された端部をｎ次の多項によって置き換えて、連続的に異なり封じられる。
【００５０】
このケースにおいて、ＣＰＣはその持っている機能とは異なった方法で使用されている。もしＣＰＣがその許容角θ１およびθ２（図３）が二つのランプの間の領域中の拡散プレート状への光の入射角のちょっと下になるようにしたならば、発光濃度の上昇が自由限定可能位置で得られる。この方法で確定されたＣＰＣは図１の点２５および２７の間と点２６および２８の間を決定する。ＣＰＣは対称的に同一の開口部角θ１＝θ２か、非対称的に異なる開口部角θ１≠θ２のいずれかにしてもよい。
【００５１】
図１中の点２５および２６の間の多項領域は連続適用関数（continuously adapted function）である。それはｎ次多項、円形、楕円形、シムソイダル、パラボラ、レンズまたは直線であってよい。好ましくは、ｎ次多項である。特に好ましくは、４次多項であり、これは点２５および２６で連続的に異なりうる。
【００５２】
点２５および２６間の多項は、点２９および２７間のレンズ領域と共に、ランプの直ぐ上の領域に最大の高さと幅を決定する。平面の場合、発光濃度は小さな空間範囲で非常に高いが、急に落ちる。この領域におけるレンズの発散効果はこの最大値の広がりと同時に低下をもたらす。この広がりは領域の湾曲化で制御されうる。決定パラメーターは発散レンズの通常の焦点である。レンズは以下の式；シヌソイダル、ｎ次多項、パラボラハイパーボラ、楕円、円、円弧、直線、によって計算され得る。好ましくは楕円である。
【００５３】
最後のデザインパラメーターは二つのサブ領域２４および２１、２２および２３の合計との比率である。この比率によって、ランプとランプ直上の最大値が同一の発光濃度レベルをもたらしうる。関数が多項領域に使用されることに対応して、対応する関数がレンズ領域に使用されなければならない。好ましい組合せを以下の表に記載する。
【００５４】
2011082174.tif 000005
【００５５】
常套のレンズ状構造における２倍化と比較して、最大値を３倍にすることにより、同じシステム中での均質化効果がより大きくなる。最大値の位置、並びにその幅や最大濃度も互いに別個に採用される。従って、構造体はまたＬＥＤ照明ユニット（例えば、少ないランプ、薄い構造）の要求に好適である。
【００５６】
構造体は２，３のパラメーターで数学的に正確に表すことができ、ＬＥＤ照明ユニットの個々のデザインに採用されうる。更に、バルク散乱に基づく従来のシステムと異なり、効果が散乱シートの厚さとは無関係であり、それにより設計の自由度が拡大する。別の態様では、散乱シートは背面上に散乱効果を有する表面構造を有する。
【００５７】
別の態様では、散乱シートは背面上にＵＶ吸収層を有し、それにより並進不変方向に散乱効果を付加することができる。
【００５８】
好ましく使用される散乱シートは少なくとも一つの透明熱可塑性材料を有する。
【００５９】
熱可塑性材料は、好ましくは、エチレン系不飽和モノマーのポリマーおよび／または二官能反応性化合物のポリ縮合体および／または二官能性反応性化合物のポリ付加生成物、好ましくはエチレン系不飽和モノマーのポリマーおよび／または二官能性反応性化合物のポリ縮合体から選択される少なくとも一つの熱可塑性材料であってよい。
【００６０】
特に、適当な熱可塑性材料は、ジフェノールに基づくポリカーボネートまたはコポリカーボネート、ポリ−またはコポリアクリレートおよびポリ−またはコポリメタクリレート、例えばポリメチルメタクリレートまたはポリ（メタ）アクリレート（ＰＭＭＡ）、スチレンとのポリ−またはコポリマー、例えばポリスチレンまたはポリスチレンアクリロニトリル（ＳＡＮ）、熱可塑性ポリウレタンおよびポリオレフィン、例えば環状オレフィンに基づくポリプロピレン類またはポリオレフィン（例えば、ＴＯＰＡＳＲ、ヘキスト）、テレフタル酸に基づくポリ−または共縮合体、例えばポリ−またはコポリエチレンテレフタレート（ＰＥＴまたはＣｏＰＥＴ）、グリコール変性ＰＥＴ（ＰＥＴＧ）、グリコール変性ポリ−またはコポリシクロヘキサンジメチレンテレフタレート（ＰＣＴＧ）またはポリ−またはコポリブチレンテレフタレート（ＰＢＴまたはＣｏＰＢＴ）またはそれらの混合物である。ポリオレフィン、例えばポリプロピレンは、他の熱可塑性材料の添加が無い場合には、本発明の方法にはあまり好適でない。
【００６１】
好ましい熱可塑性材料は、ポリカーボネートまたはコポリカーボネート、ポリ−またはコポリアクリレート、ポリ−またはコポリメタクリレート、ポリスチレン、テレフタル酸のポリ−または共縮合体またはこれらの少なくとも一つを含む混合物である。ポリカーボネートまたはコポリカーボネートは特に好ましく、平均分子量はＭＷ５００〜１００，０００，好ましくは１０，０００〜８０，０００、特に好ましくは１５，０００〜４０，０００またはそれらの混合物である。
【００６２】
散乱シートは好ましくは９０％以上、好ましくは９５％以上の透過率（transmission）を有する。
【００６３】
使用される散乱シートは押出で製造される。
【００６４】
特定のケースでは、前面および／または背面上に散乱効果を有する別の表面構造を付加して、光分配の均一性効果をより改良してもよい。
【００６５】
使用される光誘導ＡＣＰＣ構造体を有する散乱シートは、押出、射出成形、射出押圧成形、箔押、常温型打ちまたは高圧変形、好ましくは押出で製造されてもよい。押出の場合、構造体はローラーとして提供される。構造体はローラー上に、超精密混合（ultra-precision milling）、レーザープロセス、化学構造化（chemical structuring）、フォトリソグラフィーまたは他の当業者に公知の技術で付加することができる。
【００６６】
散乱シートは、複数の層、中央の層と前面および／または背面の層を有してもよい。
【００６７】
散乱シートは、好ましくは厚さ５０〜１０００μｍ、特に好ましくは５０〜７００μｍ、より好ましくは１００〜６００μｍ、特に２５０〜５００μｍを有する。ここで、散乱シートの厚さは、散乱シートの背面と、その前面の構造体の最大到達点との間の距離を意味する。
【００６８】
好ましい態様では、発光ユニットは少なくとも一つの拡散シートを有し、拡散シートは散乱粒子を含み、散乱シートの前面、即ちレンズ領域およびコンプレックスＣＰＣ領域からなる光誘導構造体を有する前面の前に配置される。そのような拡散シートは、好ましくは主材料としてプラスチック、好ましくは透明プラスチックに基づくものであり、それは主材料中に散乱粒子を有する。
【００６９】
散乱粒子は、ポリマーまたは無機粒子であってよい。広い範囲の異なる物質、例えば無機または有機材料が散乱粒子に用いられてもよい。これらは、更に固体、液体またはガス状で存在してもよい。
【００７０】
無機材料の例としては、塩状化合物、例えば二酸化チタン、酸化亜鉛、硫酸亜鉛、硫酸バリウム等であるが、アモルファス材料、例えば無機ガラスであってもよい。
【００７１】
有機材料の例としては、ポリアリーレート、ポリメタクリレート、ポリテトラフルオロエチレン、ポリトリアルキロキシシロキサンあってもよい。散乱粒子はコア−シェル構造を有するアクリレート系のポリマー粒子であってもよい。この場合、ＥＰ−Ａ６３４４４５に記載のものが存在する。
【００７２】
ガス状材料の例としては、不活性ガス、例えば窒素、希ガスであってよく、空気や二酸化炭素であってもよい。ガス状材料は加圧下にポリマー溶融物中に「溶解」し、その後散乱シートを例えば押出で形成する。シートを冷却／緩和時にガスの泡が形成される。
【００７３】
これらの散乱粒子は、更に、種々の形態、例えば球状から結晶で示されるような形態を有してもよい。その中間的な形状も同様に可能である。更に、これらの散乱粒子は例えば散乱粒子の被膜やコアーシェル構造として断面中で異なる屈折率を有してもよい。
【００７４】
散乱粒子はそれらが埋設されている透明プラスチックに光散乱性を付与するのに有効である。散乱粒子の屈折率ｎは好ましくは、＋／−０．２５ユニット以内、より好ましくは屈折率＋／−０．１８ユニット以内、最も好ましくは透明プラスチックの＋／−０．１２ユニット以内である。散乱粒子の屈折率ｎは透明プラスチックの屈折率に＋／−０．００３ユニットより近くなく、より好ましくは＋／−０．０１ユニットより近くなく、最も好ましくは＋／−０．０５ユニットより近くないのが好ましい。屈折率はＡＳＴＭ  Ｄ５４２−５０および／またはＤＩＮ５３  ４００で測定する。
【００７５】
散乱粒子は一般的に平均粒径少なくとも０．５μｍ、好ましくは少なくとも２μｍ、より好ましくは２〜５０μｍ、最も好ましくは２〜１５μｍである。「平均粒径」とは数平均である。
【００７６】
好ましくは、散乱粒子の少なくとも９０重量％、より好ましくは少なくとも９５重量％は粒径２μｍ以上を有する。散乱粒子は、好ましくは自由流動粉末である。
【００７７】
ベース材料における散乱粒子は、好ましくは、ベース材料の総重量に基づいて０．００１〜１０重量％、好ましくは０．０１〜５重量％の量で使用される。
【００７８】
別の態様において、発光ユニットは少なくとも２種、好ましくは２種類の散乱シートを有し、その一方はレンズ領域と凸状ＣＰＣ領域からなる前面に光誘導構造を有し、第２の散乱シートは第１の散乱シートの前面の前で裏面を有するように配置し、第２の散乱シートの光誘導構造は第１の散乱シートの光誘導構造に対して３０〜１５０°、特に好ましくは６０〜１２０°、より特に好ましくは９０°回転させる。
【００７９】
上記発光ユニットの態様は、光分配の非常に改善された均質性を示す。
【００８０】
発光ユニットは、好ましくは、光反射表面、ＬＥＤ（複数も可）、散乱シート（複数も可）および要すれば拡散シート（複数も可）を有する光ボックス、即ちハウジングを有する。ボックスは、表面と裏面を有し、側面は種々の形状でよく、より複雑な側面形状を有してもよく、内側と外側で異なっていてもよい。光ボックスの基本面は好ましくは光反射表面である。この場合、光ボックスは特に好ましくは分散的に反射性、または金属的に反射性、特に好ましくは分散的に白色反射性であるように形成する。この場合、光ボックスのベースプレート自体または両方のベースプレートおよび側面は、分散的に反射性、または金属的に反射性、特に好ましくは分散的に白色反射性（white-reflective）であるように内面を形成してもよい。
【００８１】
光反射表面は好ましくは分散的に反射性または金属的に反射性であってよく、特に好ましくは、それは分散的に白色反射性である。
【００８２】
ＬＥＤは、光ボックスの裏面上の内面に置き、規則的グリッドまたは非規則的に配置してもよい。ＬＥＤは点状または線状光源である。規則的グリッドに配列する場合、このグリッドは縦方向と横方向の列の数によって表してもよい。変数「ｎ」および「ｍ」で列の数は、それぞれ１以上の数である。
【実施例】
【００８３】
本発明を実施例により説明するが、これらは発明を限定するように解してはならない。
【実施例１】
【００８４】
この実施例は比較例であり、本発明の実施態様ではない。反射体およびＬＥＤの中心が５０ｍｍの間隔でかつ分散体からＬＥＤの距離１５ｍｍである６つの線状配置発光ダイオード（ＬＥＤ）を有する発光ユニットを形成した。一般的な分散体プレート、即ち住友化学からＳｕｍｉｐｅｘＲＦＸ１５１である標準アクリレート分散体プレートを、この場合使用した。この発光ユニットの構造は図４ａに示されている。ランプ上の明るさの変化（標準偏差；standard deviation）は３３％であった。明るさの変化は図４ｃにＬＥＤの中間点を通る直線の断面として示す。人間の目には、この発光の場合、明らかに異なる点の光源であるとの印象を与えた。測定図４ｃの基準として使用された明るさの変化がスターライト・エキスプレス社（STARLIGHT XPRESS Ltd.）からモデルＳＸＶＦ−Ｈ９のＣＣＤカメラで記録し、図４ｂに示す。
【実施例２】
【００８５】
この実施例は、本発明の一態様を示す。反射体およびＬＥＤの中心が５０ｍｍの間隔でかつ分散体からＬＥＤの距離１５ｍｍである６つの線状配置発光ダイオード（ＬＥＤ）を有する発光ユニットを形成した。以下のパラメーターを有するＡＣＰＣ構造の２８０μｍ散乱プレートを分散体として提供した：許容角４０°、切り詰め因子０．１、ポリマー：ビスフェノールＡに基づくポリカーボネート（MakrolonR 3108（高粘度ＢＰＡ−ＰＣ、ＩＳＯ１１３３で３００℃１．２ＫｇでＭＦＲ６．５ｇ／１０ｍｉｎ））、レンズ構造：ストレート（フラット）、比率０．０３、多項（ポリノミアル）領域：２次多項。ＡＣＰＣ散乱シートの線状構造がＬＥＤ配置に向かって横断方向（水平方向）に延伸された。この発光ユニットの構造は、図５ａに示されている。ランプ上の明るさの変化は１２％であった。明るさの変化は図５ｃにＬＥＤの中間点を通る直線の断面として示す。人間の目には、この発光の場合、線状光源であるとの印象を与えた。測定図５ｃの基準として使用された明るさの変化がスターライト・エキスプレス社（STARLIGHT XPRESS Ltd.）からモデルＳＸＶＦ−Ｈ９のＣＣＤカメラで記録し、図５ｂに示す。
【実施例３】
【００８６】
この実施例は、本発明の一態様を示す。反射体およびＬＥＤの中心が５０ｍｍの間隔でかつ分散体からＬＥＤの距離１５ｍｍである６つの線状配置発光ダイオード（ＬＥＤ）を有する発光ユニットを形成した。以下のパラメーターを有するＡＣＰＣ構造の２８０μｍ散乱プレートを分散体として提供した：許容角４０°、切り詰め因子０．１、ポリマー：ビスフェノールＡに基づくポリカーボネート（MakrolonR 3108（高粘度ＢＰＡ−ＰＣ、ＩＳＯ１１３３で３００℃１．２ＫｇでＭＦＲ６．５ｇ／１０ｍｉｎ））、レンズ構造：ストレート（フラット）、比率０．０３、多項領域：２次多項。ＡＣＰＣ散乱シートの線状構造がＬＥＤ配置に向かって横断方向（水平方向）に延伸された。この上に、別の散乱シートを厚さ３７５μｍで配置した（ローム＆ハース社からのMakrolonR 3108で市販のコアーシェルアクリレート散乱粒子ParaloidR４重量％）。この発光ユニットの構造は、図６ａに示されている。ランプ上の明るさの変化は１０％であった。明るさの変化は図５ｃにＬＥＤの中間点を通る直線の断面として示す。人間の目には、この発光の場合、広がった線状光源であるとの印象を与えた。測定図６ｃの基準として使用された明るさの変化がスターライト・エキスプレス社（STARLIGHT XPRESS Ltd.）からモデルＳＸＶＦ−Ｈ９のＣＣＤカメラで記録し、図６ｂに示す。
【００８７】
従って、発光ユニットを説明する。本発明の態様は示され、説明されたが、多くの変更が発明の概念から離れないで可能であることは当業者に明らかである。従って、本発明は以下の請求項の精神の範囲内を除いて、限定されることはない。
【符号の説明】
【００８８】
１  光反射表面
２  ＬＥＤ
３  分散プレート
４  光誘導構造を有する散乱シート
５  分散シート
６  発光濃度
７  距離
２１  光誘導構造体の多項領域
２２  光誘導構造体の左のＣＰＣ領域（パラボラＰ１）
２３  光誘導構造体の右のＣＰＣ領域（パラボラＰ２）
２４  光誘導構造体のレンズ領域
２５  ＣＰＣの上部末端Ｆ１
２６  ＣＰＣの上部末端Ｆ２
２７  ＣＰＣの下部末端Ｅ３
２８  ＣＰＣの下部末端Ｅ４
２９  レンズ領域の左末端Ｌ１
３１  パラボラＰ１の開口部角θ１
３２  パラボラＰ２の開口部角θ２
３３  ＣＰＣ本体
３４  Ｘ軸
３５  Ｙ軸
３６  切断部によって決定されるＣＰＣ本体の切り詰め部
４５  未切断ＣＰＣの低端部Ｅ１
４６  未切断ＣＰＣの低端部Ｅ２
【図１】
2011082174.tif 000007
【図２】
2011082174.tif 000008
【図３】
2011082174.tif 000009
【図４ａ】
2011082174.tif 000010
【図４ｂ】
2011082174.tif 000011
【図４ｃ】
2011082174.tif 000012
【図５ａ】
2011082174.tif 000013
【図５ｂ】
2011082174.tif 000014
【図５ｃ】
2011082174.tif 000015
【図６ａ】
2011082174.tif 000016
【図６ｂ】
2011082174.tif 000017
【図６ｃ】
2011082174.tif 000018
【外国語明細書】
2011082174.tif 000019
2011082174.tif 000020
2011082174.tif 000021
2011082174.tif 000022
2011082174.tif 000023
2011082174.tif 000024
2011082174.tif 000025
2011082174.tif 000026
2011082174.tif 000027
2011082174.tif 000028
2011082174.tif 000029
2011082174.tif 000030
2011082174.tif 000031
2011082174.tif 000032
2011082174.tif 000033
2011082174.tif 000034
2011082174.tif 000035
2011082174.tif 000036
2011082174.tif 000037
2011082174.tif 000038
2011082174.tif 000039
2011082174.tif 000040
2011082174.tif 000041